(57)【要約】      （修正有）【課題】この発明は、エバポレータの蓄冷量を推定し、圧縮機の停止制御を最適化することにより、冷房性能とドライバビリティとの両立を実現する。【解決手段】車両に搭載された内燃機関の動力により駆動されて冷媒を圧縮する圧縮機４と、蓄冷素子１３を備え、かつ冷房作動中に冷媒の冷気の一部を冷風に変換し、残りの冷気を蓄冷素子１３に蓄えることが可能なエバポレータと８、圧縮機４の停止中に蓄冷素子１３に蓄えられた冷気により車室内を空調制御する制御手段２９を備えた車両用空調制御装置において、蓄冷素子１３に蓄えられた冷気の量を算出する蓄冷量算出手段３９を備え、制御手段は、蓄冷量算出手段により算出される蓄冷量に応じて変化する停止条件に基づき、作動中の圧縮機を停止制御する。【選択図】図１
2014159201.tif 000002
【特許請求の範囲】
【請求項１】
車両に搭載された内燃機関の動力により駆動されて冷媒を圧縮する圧縮機と、蓄冷素子を備え、かつ冷房作動中に前記冷媒の冷気の一部を冷風に変換し、残りの冷気を前記蓄冷素子に蓄えることが可能なエバポレータと、前記圧縮機の停止中に前記蓄冷素子に蓄えられた冷気により車室内を空調制御する制御手段を備えた車両用空調制御装置において、前記蓄冷素子に蓄えられた冷気の量を算出する蓄冷量算出手段を備え、前記制御手段は、前記蓄冷量算出手段により算出される蓄冷量に応じて変化する停止条件に基づき、作動中の前記圧縮機を停止制御することを特徴とする車両用空調制御装置。
【請求項２】
前記停止条件は、前記車両の走行状態に応じて設定されることを特徴とする請求項１に記載の車両用空調制御装置。
【請求項３】
前記車両は、所定条件成立時に前記内燃機関を停止するアイドルストップ車両であることを特徴とする請求項１に記載の車両用空調制御装置。
【発明の詳細な説明】
【技術分野】
【０００１】
この発明は車両用空調制御装置に係り、特に、内燃機関の動力により駆動されて冷媒を圧縮する圧縮機の停止時期や停止時間を最適化することで、冷房性能とドライバビリティとの両立を図った車両用空調制御装置に関する。
【背景技術】
【０００２】
内燃機関の動力により走行する車両には、内燃機関の動力により駆動されて冷媒を圧縮する圧縮機を備え、冷媒と車室内に吹き出される空気との間で熱交換するエバポレータを備え、エバポレータによって冷媒の冷気を冷風に変換することで冷房機能を実現する空調装置を制御する車両用空調制御装置を搭載しているものがある。
一方で、昨今は、自動停止条件成立時に内燃機関を自動停止させるとともに自動再始動条件成立時に内燃機関を自動再始動させるアイドルストップ車両が増加している。アイドルストップ車両においては、燃費向上のために内燃機関を停止させた場合、空調装置の圧縮機の動力が失われることにより冷房機能が停止し、夏場などの車外温度が高い状況では内燃機関停止後、すぐに冷風の吹出しができなくなるという問題がある。
【０００３】
この問題に対する解決策の一つとして、蓄冷素子を備えたエバポレータを有する空調装置がある。この蓄冷素子を備えたエバポレータは、冷房作動時にエバポレータが持つ冷媒の冷気を全て冷風に変換することはできないという点を利用したものであり、冷風に変換できずエバポレータに残った冷気を蓄冷素子に蓄える機能を備えている。このエバポレータで蓄えた冷気を用いることにより、アイドルストップ車両による内燃機関の停止中に車室内に冷風を吹出すことが可能となる。（特開２０１１−６８１９０号公報）
【先行技術文献】
【特許文献】
【０００４】
【特許文献１】特開２０１１−６８１９０号公報
【発明の概要】
【発明が解決しようとする課題】
【０００５】
ところで、一般に、内燃機関の動力で走行する車両は、内燃機関の動力により空調装置の圧縮機を駆動するため、冷房作動時には圧縮機の負荷により、車両の走行に使われる内燃機関の動力が減少されることを避けられない。内燃機関の動力の減少は、ドライバビリティの悪化を招くことになるため、対策として乗員がアクセルペダルを踏み込んだときは圧縮機を停止して加速感を向上させる制御や、乗員がブレーキペダルを踏み込んだときは圧縮機を停止して吸気負圧を利用したブレーキのマスターバックによる踏力アシスト能力を増加させる制御などが存在し、これらを総称しエアコンカット制御と呼んでいる。
しかし、上記エアコンカット制御により圧縮機を停止させた場合は、冷媒を圧縮できないためエバポレータの温度が上昇することとなり、空調装置の吹き出し風の温度が上昇し、冷房性能が低下してしまうという問題がある。
このように、冷房性能とドライバビリティとはトレードオフの関係にあり、ドライバビリティを優先して圧縮機を停止する時間を長く設定した場合は、冷房能力が低下することで、乗員に不快感を与える可能性がある。逆に、冷房性能を向上させるために圧縮機を停止する時間を短く設定した場合は、内燃機関の動力が圧縮機に使用されてドライバビリティが悪化し、乗員に不快感を与える可能性がある。
【０００６】
この発明は、エバポレータの蓄冷量を推定し、圧縮機の停止制御を最適化することにより、冷房性能とドライバビリティとの両立を実現することを目的とする。
【課題を解決するための手段】
【０００７】
この発明は、車両に搭載された内燃機関の動力により駆動されて冷媒を圧縮する圧縮機と、蓄冷素子を備え、かつ冷房作動中に前記冷媒の冷気の一部を冷風に変換し、残りの冷気を前記蓄冷素子に蓄えることが可能なエバポレータと、前記圧縮機の停止中に前記蓄冷素子に蓄えられた冷気により車室内を空調制御する制御手段を備えた車両用空調制御装置において、前記蓄冷素子に蓄えられた冷気の量を算出する蓄冷量算出手段を備え、前記制御手段は、前記蓄冷量算出手段により算出される蓄冷量に応じて変化する停止条件に基づき、作動中の前記圧縮機を停止制御することを特徴とする。
【発明の効果】
【０００８】
この発明は、エバポレータの蓄冷素子の蓄冷量を推定し、その蓄冷量に基づいて作動中の圧縮機を停止する時期あるいは停止する時間を最適化することにより、より長い時間圧縮機を停止させることができるものである。
この発明は、エバポレータの蓄冷量に基づいて圧縮機の停止制御を細かく設定でき、圧縮機の停止する時間を長くできることにより燃費が向上する。
【図面の簡単な説明】
【０００９】
【図１】図１は車両用空調制御装置によるシステム構成図である。（実施例）
【図２】図２（Ａ）は蓄冷量を算出するための係数αを示す図、図２（Ｂ）は蓄冷量により算出される蓄冷レベルを示す図である。（実施例）
【図３】図３は車両用空調制御装置による空調制御構成図である。（実施例）
【図４】図４（Ａ）は加速走行時停止条件の成立・不成立の関係を示す図、図４（Ｂ）は車速条件の閾値Ｂを示す図、図４（Ｃ）はアクセル開度条件の閾値Ｃを示す図である。（実施例）
【図５】図５は加速走行時停止条件の成立・不成立確定のフローチャートである。（実施例）
【図６】図６（Ａ）は全開走行時停止条件の成立・不成立の関係を示す図、図６（Ｂ）はアクセル開度条件の閾値Ｅを示す図である。（実施例）
【図７】図７は全開走行時停止条件の成立・不成立確定のフローチャートである。（実施例）
【図８】図８（Ａ）はブレーキ負圧確保時停止条件の成立・不成立の関係を示す図、図８（Ｂ）はブレーキ負圧条件の閾値Ｇを示す図である。（実施例）
【図９】図９はブレーキ負圧確保時停止条件の成立・不成立確定のフローチャートである。（実施例）
【図１０】図１０は走行状態による圧縮機の停止条件の成立・不成立の関係を示す図である。（実施例）
【図１１】図１１は走行状態による圧縮機の停止条件の成立・不成立判定のフローチャートである。（実施例）
【発明を実施するための形態】
【００１０】
以下、図面に基づいて、この発明の実施例を説明する。
【実施例】
【００１１】
図１〜図１１は、この発明の実施例を示すものである。図１において、車両１は、走行用の動力を発生する内燃機関２を搭載しており、空調装置３を搭載している。この車両１の空調装置３は、内燃機関１の動力により駆動されて冷媒を圧縮する圧縮機４を備え、空調ダクト５により形成される空調通路６に、空気を送給するブロアファン７と、冷媒の気化潜熱を利用して冷気を生成するエバポレータ８と、内燃機関２の冷却水の熱を利用して熱気を生成するヒータコア９とを配設している。
前記圧縮機４は、内燃機関２の動力により駆動されて冷媒を圧縮する。圧縮された冷媒は、コンデンサ１０とレシーバ１１とにより冷却・液化され、前記エバポレータ８に供給される。エバポレータ８において空気との熱交換で昇温膨張した冷媒は、圧縮機４に回収されて再び圧縮される。前記ブロアファン７は、ファンモータ１２により駆動され、空調通路６の空気を車室に供給する。前記エバポレータ８は、蓄冷素子１３（例えば、パラフィンなど）を備え、かつ冷房作動中に冷媒の冷気の一部を冷風に変換し、残りの冷気を蓄冷素子１３に蓄えることが可能である。前記ヒータコア９は、暖房作動中に空調通路６の空気を熱風に変換する。ヒータコア９は、一側に偏らせることで空調通路６をヒータコア通路１４とバイパス通路１５とに２分している。
前記空調通路６には、ブロアファン７の上流側に吸込口ダンパ１６を設け、中間のヒータコア９の上流側にエアミックスダンパ１７を設け、ヒータコア９の下流側に吹出口ダンパ１８・１９を設けている。
前記吸込口ダンパ１６は、吸込口アクチュエータ２０により作動され、内気吸込口２１から吸い込んだ車室内の空気（内気）と外気吸込口２２から吸い込んだ車室外の空気（外気）とを空調通路６に選択的に導入する。前記エアミックスダンパ１７は、エアミックスアクチュエータ２３により作動され、ヒータコア通路１４に流れる熱風とバイパス通路１５に流れる冷風との割合を調整し、車室に冷房用あるいは暖房用として吹き出される空調空気の吹出温度を調整する。前記吹出口ダンパ１８・１９は、吹出口アクチュエータ２４・２５により作動され、空調モードに応じて、各吹出口２６・２７・２８から空調空気を選択的に吹き出させる。
前記エンジン２、圧縮機４、ファンモータ１２、吸込口アクチュエータ２０、エアミックスアクチュエータ２３、吹出口アクチュエータ２４・２５は、制御手段２９に接続している。制御手段２９には、空調装置３を駆動・停止する空調スイッチ３０、アクセルペダルの踏込み状態であるアクセル開度を検出するアクセル開度センサ３１、車両１の車速を検出する車速センサ３２、内燃機関２の吸気負圧を利用してブレーキペダルの踏力をアシストするマスターバックのブレーキ負圧を検出するブレーキ負圧センサ３３、エバポレータ８の温度を検出するエバポレータ温度センサ３４を接続している。
前記制御手段２９は、アクセル開度センサ３１、車速センサ３２とともに内燃機関２を自動停止・自動再始動する内燃機関自動停止制御装置３５を構成する。内燃機関自動停止制御装置３５を構成する制御手段２９は、自動停止手段３６と、自動再始動手段３７とを備えている。制御手段２９は、自動停止手段３６によって、所定条件（自動停止条件：例えば、停車時など）成立時に燃料噴射弁や点火装置を制御して内燃機関２を自動停止させ、自動再始動手段３７によって、異なる所定条件（自動再自動条件：例えば、発進時など）成立時に燃料噴射弁や点火装置・スタータモータを制御して自動停止している内燃機関２を自動再始動させる。
よって、この車両１は、所定条件成立時に内燃機関２を停止するアイドルストップ車両である。
【００１２】
また、前記制御手段２９は、圧縮機４、ファンモータ１２、吸込口アクチュエータ２０、エアミックスアクチュエータ２３、吹出口アクチュエータ２４・２５、空調スイッチ３０、アクセル開度センサ３１、車速センサ３２、ブレーキ負圧センサ３３、エバポレータ温度センサ３４とともに、車両用空調制御装置３８を構成する。車両用空調制御装置３８は、内燃機関２の動力により駆動されて冷媒を圧縮する前記圧縮機４と、蓄冷素子１３を備え、かつ冷房作動中に冷媒の冷気の一部を冷風に変換し、残りの冷気を蓄冷素子１３に蓄えることが可能な前記エバポレータ８と、圧縮機４の停止中に蓄冷素子１３に蓄えられた冷気により車室内を空調制御する前記制御手段２９を備えている。
車両用空調制御装置３８を構成する制御手段２９は、前記蓄冷素子１３に蓄えられた冷気の量を算出する蓄冷量算出手段３９を備え、蓄冷量算出手段３９が算出した蓄冷量に応じて変化する停止条件に基づき圧縮機４を停止制御する圧縮機停止制御手段４０を備えている。前記制御手段２９は、蓄冷量算出手段３９によって蓄冷素子１３の蓄冷量を算出し、圧縮機停止制御手段４０によって蓄冷量算出手段３９が算出した蓄冷量に応じて変化する停止条件に基づき、作動中の圧縮機４を停止制御する。前記停止条件は、圧縮機停止制御手段４０によって、車両１（アイドルストップ車両）の走行状態に応じて設定される。
なお、上記の走行状態（例えば、加速走行時、全開走行時、ブレーキ負圧確保時など）に応じて設定される停止条件により圧縮機４を停止する制御は、エアコンカット制御とも呼ばれる。
【００１３】
次に、車両用空調制御装置３８による空調制御を説明する。
蓄冷素子を有しないエバポレータを搭載した空調装置の車両用空調制御装置において、ドライバビリティ向上を目的とした圧縮機を停止する制御は、圧縮機を停止する頻度および停止する時間を伸ばすほど効果を得やすいが、そうすることにより冷房性能が悪化するという問題がある。
しかし、図１に示すように、蓄冷素子１３を備えたエバポレータ８を搭載した空調装置３の車両用空調制御装置３８においては、蓄冷素子１３の蓄冷量が十分であれば圧縮機４の停止中もある程度の時間は蓄冷素子１３に蓄えた冷気により冷風を吹き出すことができる。そのため、車両用空調制御装置３８は、蓄冷素子１３の蓄冷量を算出し（図２）、算出した蓄冷素子１３の蓄冷量に応じて、圧縮機４の停止制御を実施する閾値を走行状態により可変させて設定して圧縮機４の停止制御を行うことで（図３〜図１１）、圧縮機４の停止頻度、停止時間を可能な限り増加させる。その際、走行状態による閾値は、冷房能力が悪化しないレベルになるよう設定する。
この実施例では、ドライバビリティ向上のための圧縮機４の停止制御として、
（１）加速走行時における停止制御（加速力向上用）
（２）全開走行時における停止制御（アクセル全開時の加速力向上用）
（３）ブレーキ負圧確保時における停止制御（ブレーキアシスト能力向上用）
について記載する。
【００１４】
車両用空調制御装置３８は、蓄冷量算出手段３９によって、図２（Ａ）に示す表からエバポレータ温度に応じて蓄冷量を算出する係数αを求め、求めた係数αとこの係数αを求めたときのエバポレータ温度が継続していた時間とから蓄冷量算出式により蓄冷量［％］を算出する。
・蓄冷量［％］＝蓄冷量（前回）［％］＋係数α［％］＊時間［ｓｅｃ］
車両用空調制御装置３８は、算出した蓄冷量［％］から、図２（Ｂ）に示す表より現在の蓄冷レベル（例えば、１〜７）を算出する。なお、エバポレータ温度が閾値Ａ［℃］を越えている場合は、蓄冷量［％］を０［％］に設定する。（制御関数１）
【００１５】
車両用空調制御装置３８は、圧縮機停止制御手段４０によって、図３に示すように、前記制御関数１を用いて求めた現在のエバポレータ８の蓄冷素子１３における蓄冷レベルとアクセル開度センサ３１が検出したアクセル開度と車速センサ３２が検出した車速とから制御関数２により設定した加速走行時の停止条件を判断し、前記蓄冷レベルと前記アクセル開度とから制御関数３により設定した全開走行時の停止条件を判断し、前記蓄冷レベルと前記車速とブレーキ負圧センサ３３が検出したブレーキ負圧とから制御関数４により設定したブレーキ負圧確保時の停止条件を判断し、前記加速走行時の停止条件の判断と前記全開走行時の停止条件の判断と前記ブレーキ負圧確保時の停止条件の判断と空調スイッチ３０のＯＮ・ＯＦＦ信号とによって制御関数５により圧縮機４の停止条件を判断し、圧縮機４の停止制御を行う。
これにより、車両用空調制御装置３８は、エバポレータ温度から求めた現在のエバポレータ８の蓄冷レベル（制御関数１）に応じて、ドライバビリティ向上用のエアコンカット制御である、加速走行時における圧縮機４の停止制御（制御関数２）、全開走行時における圧縮機４の停止制御（制御関数３）、ブレーキ負圧確保時における圧縮機４の停止制御（制御関数４）のそれぞれが成立するタイミングを変化させ、圧縮機４の停止制御の時間を増加させることで（制御関数５）、冷房能力の低下を最低限に抑制しながら、ドライバビリティの向上を実現する。
【００１６】
前記車両用空調制御装置３８は、加速走行時における圧縮機４の停止制御において、図４（Ｂ）に示す表から蓄冷レベルに応じて車速条件の閾値Ｂを設定し、図４（Ｃ）に示す表から蓄冷レベルに応じてアクセル開度条件の閾値Ｃを設定し、車速＜閾値Ｂ及びアクセル開度＞閾値Ｃの条件成立後の経過時間の閾値Ｄを設定し、図４（Ａ）に示すように、閾値Ｂ、閾値Ｃ、閾値Ｄによる加速走行時における圧縮機４の停止条件（以下「加速走行時停止条件」と記す。）の成立・不成立を確定する。（制御関数２）
加速走行時における圧縮機４の停止制御は、乗員が加速性能を欲していると判断した場合に、圧縮機４を停止することにより加速性能を向上させる制御であり、その閾値として、「車速が一定値（閾値Ｂ）未満にある状態」で、乗員が「アクセル開度を一定値（閾値Ｃ）を超えて開けた状態」であるかを判定する。加速走行時における圧縮機４の停止制御においては、先に算出した蓄冷レベル（１〜７）が高いほど、車速の閾値Ｂとアクセル開度の閾値Ｃとを停止条件が成立し易くなるような値に設定する。
【００１７】
車両用空調制御装置３８は、図５に示すように、加速走行時停止条件の成立・不成立確定のプログラムがスタートすると（１００）、加速走行時停止条件が不成立であるかを判断する（１０１）。
この判断（１０１）がＹＥＳ（条件不成立）の場合は、蓄冷レベルに応じて車速条件の閾値Ｂを求め（１０２）、蓄冷レベルに応じてアクセル開度条件の閾値Ｃを求め（１０３）、車速が閾値Ｂ未満であるかを判断する（１０４）。
この判断（１０４）がＹＥＳ（閾値Ｂ未満）の場合は、アクセル開度が閾値Ｃ超えであるかを判断する（１０５）。
この判断（１０５）がＹＥＳ（閾値Ｃ超え）の場合は、加速走行時停止条件を成立と確定し（１０６）、判断（１０１）にリターンする（１０７）。
一方、前記加速走行時停止条件の不成立の判断（１０１）がＮＯ（条件成立）の場合は、車速＜閾値Ｂ及びアクセル開度＞閾値Ｃの条件成立後の経過時間を計時する加速走行時停止タイマをカウントアップ（計時続行）し（１０８）、経過時間が閾値Ｄ未満であるかを判断する（１０９）。
前記判断（１０９）がＹＥＳ（閾値Ｄ未満）の場合は、加速走行時停止条件を成立と確定し（１１０）、判断（１０１）にリターンする（１０７）。
また、前記車速が閾値Ｂ未満であるかの判断（１０４）がＮＯ（閾値Ｂ以上）の場合、前記アクセル開度が閾値Ｃ超えであるかの判断（１０５）がＮＯ（閾値Ｄ以下）の場合、前記経過時間が閾値Ｄ未満であるかの判断（１０９）がＮＯ（閾値Ｄ以上）の場合は、加速走行時停止タイマの計時を「０」に戻し（１１１）、加速走行時停止条件を不成立と確定し（１１２）、判断（１０１）にリターンする（１０７）。
【００１８】
前記車両用空調制御装置３８は、全開走行時における圧縮機４の停止制御において、図６（Ｂ）に示す表から蓄冷レベルに応じてアクセル開度条件の閾値Ｅを設定し、アクセル開度＞閾値Ｅの条件成立後の経過時間の閾値Ｆを設定し、図６（Ａ）に示すように、閾値Ｅ、閾値Ｆによる全開走行時における圧縮機４の停止条件（以下「全開走行時停止条件」と記す。）の成立・不成立を確定する。（制御関数３）
全開走行時における圧縮機４の停止制御は、乗員が加速性能を最大限まで欲していると判断した場合に、圧縮機４を停止することにより加速性能を最大まで発揮する制御であり、その閾値として、乗員が「アクセル開度を相当に高い値（閾値Ｅ）まで開けた」かを判定する。全開走行時における圧縮機４の停止制御においては、先に算出した蓄冷レベル（１〜７）が高いほど、アクセル開度の閾値Ｅを停止条件が成立し易くなるような値に設定する。
【００１９】
車両用空調制御装置３８は、図７に示すように、全開走行時停止条件の成立・不成立確定のプログラムがスタートすると（２００）、全開走行時停止条件が不成立であるかを判断する（２０１）。
この判断（２０１）がＹＥＳ（条件不成立）の場合は、蓄冷レベルに応じてアクセル開度条件の閾値Ｅを求め（２０２）、アクセル開度が閾値Ｅ超えであるかを判断する（２０３）。
この判断（２０３）がＹＥＳ（閾値Ｅ超え）の場合は、全開走行時停止条件を成立と確定し（２０４）、判断（２０１）にリターンする（２０５）。
一方、前記全開走行時停止条件の不成立の判断（２０１）がＮＯ（条件成立）の場合は、アクセル開度＞閾値Ｅの条件成立後の経過時間を計時する全開走行時停止タイマをカウントアップ（計時続行）し（２０６）、経過時間が閾値Ｆ未満であるかを判断する（２０７）。
前記判断（２０７）がＹＥＳ（閾値Ｅ未満）の場合は、全開走行時停止条件を成立と確定し（２０８）、判断（２０１）にリターンする（２０５）。
また、前記アクセル開度が閾値Ｅ超えであるかの判断（２０３）がＮＯ（閾値Ｅ以下）の場合、前記経過時間が閾値Ｆ未満であるかの判断（２０７）がＮＯ（閾値Ｅ以上）の場合は、全開走行時停止タイマの計時を「０」に戻し（２０９）、全開走行時停止条件を不成立と確定し（２１０）、判断（２０１）にリターンする（２０５）。
【００２０】
前記車両用空調制御装置３８は、ブレーキ負圧確保時における圧縮機４の停止制御において、図８（Ｂ）に示す表から蓄冷レベルに応じてブレーキ負圧確保条件の閾値Ｇを設定し、ブレーキ負圧＜閾値Ｇの条件成立後の経過時間の閾値Ｈを設定し、図８（Ａ）に示すように、閾値Ｇ、閾値Ｈによるブレーキ負圧確保時における圧縮機４の停止条件（以下「ブレーキ負圧確保時停止条件」と記す。）の成立・不成立を確定する。（制御関数４）
ブレーキ負圧確保時における圧縮機４の停止制御は、乗員がブレーキペダルを踏込んだ場合の踏力アシスト機能として、マスターバックのブレーキ負圧を利用している場合に、ブレーキ負圧が不足してアシストが機能しないことが無いよう、「ブレーキ負圧が一定値（閾値Ｇ）未満である」かを判定し、「ブレーキ負圧が一定値（閾値Ｇ）未満である」場合は圧縮機４の停止によりブレーキ負圧を確保する制御である。ブレーキ負圧確保時における圧縮機４の停止制御においては、先に算出した蓄冷レベル（１〜７）が高いほど、ブレーキ負圧の閾値Ｇを停止条件が成立し易くなるように設定する。なお、「ブレーキ負圧が一定値（閾値Ｇ）未満である」（ブレーキ負圧＜閾値Ｇ）場合とは、ブレーキ負圧が閾値Ｇよりも大気圧側の値に近づいて弱くなった状態である。
【００２１】
車両用空調制御装置３８は、図９に示すように、ブレーキ負圧確保時停止条件の成立・不成立確定のプログラムがスタートすると（３００）、ブレーキ負圧確保時停止条件が不成立であるかを判断する（３０１）。
この判断（３０１）がＹＥＳ（条件不成立）の場合は、蓄冷レベルに応じてブレーキ負圧確保条件の閾値Ｇを求め（３０２）、ブレーキ負圧が閾値Ｇ未満であるかを判断する（３０３）。
この判断（３０３）がＹＥＳ（閾値Ｇ未満）の場合は、ブレーキ負圧確保時停止条件を成立と確定し（３０４）、判断（３０１）にリターンする（３０５）。
一方、前記ブレーキ負圧確保停止条件の不成立の判断（３０１）がＮＯ（条件成立）の場合は、ブレーキ負圧＜閾値Ｇの条件成立後の経過時間を計時するブレーキ負圧確保時停止タイマをカウントアップ（計時続行）し（３０６）、経過時間が閾値Ｈ未満であるかを判断する（３０７）。
前記判断（３０７）がＹＥＳ（閾値Ｇ未満）の場合は、ブレーキ負圧確保時停止条件を成立と確定し（３０８）、判断（３０１）にリターンする（３０５）。
また、前記ブレーキ負圧が閾値Ｇ未満であるかの判断（３０３）がＮＯ（閾値Ｇ以上）の場合、前記経過時間が閾値Ｈ未満であるかの判断（３０７）がＮＯ（閾値Ｈ以上）の場合は、ブレーキ負圧確保時停止タイマの計時を「０」に戻し（３０９）、ブレーキ負圧確保時停止条件を不成立と確定し（３１０）、判断（３０１）にリターンする（３０５）。
【００２２】
前記車両用空調制御装置３８は、圧縮機４の停止制御において、図１０に示すように、
空調スイッチ３０のＯＮ・ＯＦＦ、加速走行時停止条件の成立・不成立、または全開走行時停止条件の成立・不成立、あるいはブレーキ負圧確保時停止条件の成立・不成立による圧縮機４の停止条件の成立・不成立を判定する。（制御関数５）
上記各走行状態における圧縮機４の停止制御は、図２〜図９に示すように、現在の蓄冷レベルに従い閾値Ａ〜Ｈを変化させた結果、図１１に示すように、前述の加速走行時停止条件、全開走行時停止条件、ブレーキ負圧確保時停止条件のいずれかが成立しているかを判定する。加速走行時停止条件、全開走行時停止条件、ブレーキ負圧確保時停止条件の、少なくとも一つが成立していた場合は、圧縮機４を停止し、ドライバビリティの向上を図る。この際の圧縮機４を停止は、現在の蓄冷量を元に冷房性能の悪化を招かない程度に設定されたものである。
【００２３】
車両用空調制御装置３８は、図１１に示すように、圧縮機４の停止条件の成立・不成立判定のプログラムがスタートすると（４００）、エバポレータ温度センサ３４が検出するエバポレータ温度を入力し（４０１）、蓄冷量を算出する係数αを算出し（４０２）、蓄冷量算出式により蓄冷量を算出し（４０３）、空調スイッチ３０のＯＮ・ＯＦＦ信号を入力する（４０４）。
さらに、車両用空調制御装置３８は、加速走行時停止条件の成立・不成立情報を入力し（４０５）、全開走行時停止条件の成立・不成立情報を入力し（４０６）、ブレーキ負圧確保時停止条件の成立・不成立情報を入力し（４０７）、空調スイッチ３０がＯＦＦ（空調装置３が停止）であるかを判断する（４０８）。
この判断（４０８）がＹＥＳ（スイッチＯＦＦ）の場合は、圧縮機４の停止条件を成立とし（４０９）、判断（４０１）にリターンする（４１０）。
一方、前記空調スイッチ３がＯＦＦであるかの判断（４０８）がＮＯ（スイッチＯＮ）の場合は、空調装置３が駆動中であり、加速走行時停止条件が成立するか、または全開走行時停止条件が成立するか、あるいはブレーキ負圧確保時停止条件が成立するかを判断する（４１１）。
この判断（４１１）がＹＥＳ（少なくとも一つの条件が成立）の場合は、圧縮機４の停止条件を成立とし（４０９）、圧縮機４を停止して判断（４０１）にリターンする（４１０）。この判断（４１１）がＮＯ（すべての条件が不成立）の場合は、圧縮機４の停止条件を不成立とし（４１２）、圧縮機４を停止せずに判断（４０１）にリターンする（４１０）。
【００２４】
このように、車両用空調制御装置３８は、エバポレータ８に備えられた蓄冷素子１３の蓄冷量を求め（制御関数１）、求めた蓄冷量から走行状態に応じて設定した圧縮機４の停止条件を確定（制御関数２〜制御関数４）し、確定した停止条件の成立・不成立を判定（制御関数５）し、圧縮機４を停止制御する。
これにより、車両用空調制御装置３８は、エバポレータ８の蓄冷量を推定し、その蓄冷量に基づいて作動中の圧縮機４を停止する時期あるいは停止する時間を最適化することができ、より長い時間圧縮機４を停止させることができる。
この車両用空調制御装置３８は、エバポレータ８の蓄冷量に基づいて圧縮機４の停止制御を細かく設定でき、圧縮機４の停止する時間を長くできることにより燃費が向上する。
また、車両用空調制御装置３８は、圧縮機４の停止条件を、車両１の走行状態（加速走行時、全開走行時、ブレーキ負圧確保時）に応じて設定している。
この車両用空調制御装置３８は、車両１の走行状態に応じて圧縮機４の停止制御の設定を変化させることにより、各走行状態にとって最適な圧縮機４の停止制御が実行可能となり、圧縮機４の駆動による内燃機関２の動力消費を抑制してドライバビリティの向上が可能となる。これにより、車両用空調制御装置３８は、冷房性能とドライバビリティとの両立を実現できる。
さらに、車両１は、所定条件（自動停止条件）成立時に内燃機関２を停止するアイドルストップ車両であるので、エバポレータ８に蓄えられた蓄冷量に基づき、所定条件の成立で内燃機関２を停止したときの圧縮機４の停止制御を最適化することができる。
なお、上述実施例においては、圧縮機４の停止制御の種類、制御関数の詳細については一例を示したのみに過ぎず、言及していないドライバビリティ向上用の制御を加えることもできる。また、上述実施例においては、空調スイッチ３０、アクセル開度センサ３１、車速センサ３２、ブレーキ負圧センサ３３、エバポレータ温度センサ３４から制御の情報を入力したが、他の制御の入力要素を増減することもできる。さらに、圧縮機４の停止制御を判定する閾値を決定する際に、蓄冷量に加えて現在の車両環境（例えば、外気温度、内気温度、日射など）も加味して決定することもできる。
【産業上の利用可能性】
【００２５】
この発明に係る車両用空調制御装置は、内燃機関の動力で圧縮機を駆動する空調装置を搭載した車両に適用可能である。
【符号の説明】
【００２６】
１  アイドリングストップ車両
２  内燃機関
３  空調装置
４  圧縮機
７  ブロアファン
８  エバポレータ
９  ヒータコア
１３  蓄冷素子
２９  制御手段
３０  空調スイッチ
３１  アクセル開度センサ
３２  車速センサ
３３  ブレーキ負圧センサ
３４  エバポレータ温度センサ
３５  内燃機関自動停止制御装置
３６  自動停止手段
３７  自動再始動手段
３８  車両用空調制御装置
３９  蓄冷量算出手段
４０  圧縮機停止制御手段
【図１】
2014159201.tif 000003
【図２】
2014159201.tif 000004
【図３】
2014159201.tif 000005
【図４】
2014159201.tif 000006
【図５】
2014159201.tif 000007
【図６】
2014159201.tif 000008
【図７】
2014159201.tif 000009
【図８】
2014159201.tif 000010
【図９】
2014159201.tif 000011
【図１０】
2014159201.tif 000012
【図１１】
2014159201.tif 000013